(57)【要約】【課題】ページング信号の間欠受信周期を通常よりも長く設定した相手端末に発信した場合に、発信端末に相手端末の着信タイミングが遅くなる旨を通知すること。【解決手段】相手端末は、無線通信ネットワークがページング信号を間欠受信する周期を変更する間欠受信周期変更部を有する。また、無線通信ネットワークは、相手端末を含む複数の携帯端末の間欠受信する周期を記憶する記憶部と、相手端末の間欠受信する周期に基づいて相手端末の着信タイミングを判定し、着信タイミングが遅れると判定された場合に、その旨を発信端末に通知する制御部と、を有する。【選択図】図３
2013135259.tif 000002
【特許請求の範囲】
【請求項１】
発信端末と、前記発信端末が呼び出す相手端末と、前記発信端末から前記相手端末への呼び出しを制御する無線通信ネットワークと、を備えた無線通信システムであって、
前記相手端末は、前記無線通信ネットワークが送信するページング信号を間欠受信する周期を変更する間欠受信周期変更部を有し、
前記無線通信ネットワークは、前記相手端末を含む複数の携帯端末の間欠受信する周期を記憶する記憶部と、前記相手端末の間欠受信する周期に基づいて前記相手端末の着信タイミングを判定し、前記着信タイミングが遅れると判定した場合に、その旨を前記発信端末に通知する制御部と、を有する、
ことを特徴とする無線通信システム。
【請求項２】
前記制御部は、前記相手端末の間欠受信する周期が所定の閾値以上である場合に、前記着信タイミングが遅れると判定する、ことを特徴とする請求項１に記載の無線通信システム。
【請求項３】
前記記憶部は、更に、前記相手端末を含む複数の携帯端末のページング信号の受信タイミングを記憶し、
前記制御部は、前記相手端末のページング信号の受信タイミングに基づいて、前記発信端末の発信タイミングから前記相手端末のページング信号の受信タイミングまでの時間を算出し、前記時間が所定の閾値以上である場合に前記相手端末の着信が遅れると判定する、ことを特徴とする請求項１に記載の無線通信システム。
【請求項４】
発信端末と、前記発信端末が呼び出す相手端末と、前記発信端末から前記相手端末への呼び出しを制御する無線通信ネットワークと、を備えた無線通信システムであって、
前記相手端末は、前記無線通信ネットワークが送信するページング信号を間欠受信する周期を変更する間欠受信周期変更部を有し、
前記無線通信ネットワークは、前記相手端末を含む複数の携帯端末の間欠受信する周期を記憶する記憶部と、前記相手端末の間欠受信する周期を前記発信端末に送信する制御部と、を有し、
前記発信端末は、受信した前記相手端末の間欠受信する周期に基づいて、前記相手端末の着信タイミングを判定し、前記着信タイミングが遅れると判定した場合に、その旨を、前記発信端末のユーザに通知する、ことを特徴とする無線通信システム。
【請求項５】
前記発信端末は、前記相手端末の間欠受信する周期が所定の閾値以上である場合に、前記着信タイミングが遅れると判定する、ことを特徴とする請求項４に記載の無線通信システム。
【請求項６】
前記記憶部は、更に、前記相手端末を含む複数の携帯端末のページング信号の受信タイミングを記憶し、
前記制御部は、前記相手端末のページング信号の受信タイミングに基づいて、前記発信端末の発信タイミングから前記相手端末のページング信号の受信タイミングまでの時間を算出し、前記時間を前記発信端末に送信し、
前記発信端末は、前記時間が所定の閾値以上である場合に、前記着信タイミングが遅れると判定する、ことを特徴とする請求項４に記載の無線通信システム。
【請求項７】
無線通信ネットワークを介して、相手端末を呼び出す携帯端末であって、
前記携帯端末は、前記無線通信ネットワークが記憶した前記相手端末のページング信号を間欠受信する周期を、前記無線通信ネットワークから受信し、
受信した前記相手端末の間欠受信する周期に基づいて、前記相手端末の着信タイミングを判定し、前記着信タイミングが遅れると判定した場合に、その旨を、前記携帯端末のユーザに通知する、ことを特徴とする携帯端末。
【請求項８】
無線通信ネットワークを介して発信端末が相手端末を呼び出す無線通信方法であって、
前記相手端末がページング信号を間欠受信する周期を変更するステップと、
前記相手端末を含む複数の携帯端末の間欠受信する周期を記憶するステップと、
前記発信端末が前記相手端末を呼び出す際に、前記相手端末の間欠受信する周期を読み出すステップと、
前記相手端末の間欠受信周期に基づいて、前記相手端末の着信タイミングを判定する判定ステップと、
前記着信タイミングが遅れると判定した場合に、その旨を前記発信端末のユーザに通知するステップと、を含むことを特徴とする無線通信方法。
【請求項９】
前記判定ステップは、前記相手端末の間欠受信する周期が所定の閾値以上である場合に、前記着信タイミングが遅れると判定する、ことを特徴とする請求項８に記載の無線通信方法。
【請求項１０】
前記相手端末を含む複数の携帯端末のページング信号の受信タイミングを記憶するステップと、
前記発信端末が前記相手端末を呼び出す際に、前記相手端末のページング信号の受信タイミングを読み出すステップと、
前記相手端末のページング信号の受信タイミングに基づいて、前記発信端末の発信タイミングから前記相手端末のページング信号の受信タイミングまでの時間を算出するステップと、を更に含み、
前記判定ステップは、前記時間が所定の閾値以上である場合に、前記着信タイミングが遅れると判定する、ことを特徴とする請求項８に記載の無線通信方法。
【発明の詳細な説明】
【技術分野】
【０００１】
本発明は、無線通信システム、携帯端末、及び無線通信方法に関する。特に、本発明は、携帯端末が無線通信ネットワークからのページング信号を受信する際に行う間欠受信に関する。
【背景技術】
【０００２】
携帯電話に代表される携帯端末は、位置登録後に、自端末に対する着信がないかどうかを検知するため、無線基地局から送信されるページングチャネルを周期的に受信する。この動作を間欠受信動作といい、間欠受信動作を行う周期を間欠受信周期という。
【０００３】
ここで、発信者が発信端末から相手端末に対して電話をかける場合を想定する。間欠受信周期が短い場合、相手端末は着信をいち早く検出することができるため、着信音を早く鳴らすことが可能であり、発信者も着信音を早く聞くことができる。しかしながら、相手端末ではページングを受信する頻度が高くなるので消費電力が増加する問題が生じる。一方、間欠受信周期が長い場合、相手端末は着信を検出するまでに時間がかかってしまうが、相手端末ではページングを受信する頻度が低くなるので消費電力を抑制することができる。このように、着信側端末（相手端末）の消費電力の抑制と、着信音を鳴らすタイミングを早くすることとは、トレードオフの関係にある。
【０００４】
以前は、間欠受信周期は、基地局が報知情報として指示する値とされ、その基地局配下にある端末では同じ間欠受信周期が設定されていた。しかし、近年、端末のユーザから省電力化や着信までの時間短縮の目的で、基地局が報知する間欠受信周期よりも、長い間欠受信周期、又は短い間欠受信周期を使用したいという要求があり、位置登録の際に端末からネットワーク側に間欠受信周期を通知する方法が仕様化されている。例えば、ＬＴＥ（Ｌｏｎｇ  Ｔｅｒｍ  Ｅｖｏｌｕｔｉｏｎ）の場合、ＴＳ２４．３０１  ＵＥ  ｓｐｅｃｉｆｉｃ  ＤＲＸ  ｐａｒａｍｅｔｅｒ、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）／ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）の場合、ＴＳ２４．００８  ＤＲＸ  ｐａｒａｍｅｔｅｒとして仕様化されている。
【０００５】
また、特許文献１には、ユーザ機器の間欠受信状態の変更を動的に指示する方法が開示されている。上記方法は、基地局が所定条件に基づいてユーザ機器に適する好ましい間欠受信状態を決定し、ユーザ機器の間欠受信状態を変更する必要があると決定した場合、測定配置情報をユーザ機器へ送信するステップと、ユーザ機器が受信した測定配置情報に応答してチャネルを測定し、基地局へ測定報告を送信した後、指示情報で指示されたモードに基づいて自局の間欠受信状態を変更するステップと、を含んでいる。上記方法によれば、ユーザ機器の間欠受信状態の変更を動的に指示することができ、ハンドオーバー遅延時間性能が改善され、ユーザ機器のエネルギー消費が減少し、サービス時間および待機時間が効果的に延長されるという効果が得られる。
【先行技術文献】
【特許文献】
【０００６】
【特許文献１】特開２０１０−５０９６９号公報
【発明の概要】
【発明が解決しようとする課題】
【０００７】
以下の分析は、本発明により与えられる。
【０００８】
図１３、図１４は、本発明に関連する比較例のシーケンスチャートを示している。まず、図１３は、発信端末１０１から相手端末２０１に発信した際に、発信端末１０１で着信音が鳴るまでのシーケンスを示している。図１３に示すように、相手端末２０１がページングに応答するまでの間は、「プ・プ・プ・・・」という音が鳴る（Ｓ４３）。次に、相手端末２０１は自端末宛のページングを検知し、そのタイミング（着信タイミング）で着信音を鳴らし始め（Ｓ４７）、発信端末１０１にも「プルルル・・」という着信音が鳴る（Ｓ４９）。
【０００９】
次に、図１４は、相手端末２０１において、間欠受信周期を１０秒程度の長い値に設定した場合のシーケンスを示している。図１４に示すように、この場合、相手端末２０１が自端末宛のページングを検知するタイミング（着信タイミング）が遅れ、上記の「プ・プ・プ・・・」音の時間が最長で１０秒程度となり（Ｓ５５）、発信者には非常に長く感じられるという問題が発生する。
【００１０】
また、発信端末１０１側では、相手端末２０１が間欠受信周期を変更しているかどうかについては分からないため、発信者は違和感をおぼえる。また、発信中の音が「プ・プ・プ・・・」音ではなく無音となるシステムもあり、その場合には無音状態が長く続くため、発信者はさらに違和感をおぼえる。
【００１１】
また、特許文献１は、ユーザ機器の間欠受信状態を変更する方法について記載している。しかしながら、相手端末の間欠受信周期が長く設定されている場合に、相手端末が着信を検出するまでに時間が掛かってしまい、発信者が違和感をおぼえる問題については記載されていない。
【００１２】
本発明は、上記事情に鑑みてなされたものであり、無線通信システムにおいて、相手端末が間欠受信周期を長く設定している場合に、相手端末の着信タイミングが遅れる旨を発信者に通知する無線通信システムを提供することを課題とする。
【課題を解決するための手段】
【００１３】
本発明の第１の視点による無線通信システムは、発信端末と、前記発信端末が呼び出す相手端末と、前記発信端末から前記相手端末への呼び出しを制御する無線通信ネットワークと、を備えた無線通信システムであって、前記相手端末は、前記無線通信ネットワークが送信するページング信号を間欠受信する周期を変更する間欠受信周期変更部を有する。また、前記無線通信ネットワークは、前記相手端末を含む複数の携帯端末の間欠受信する周期を記憶する記憶部を有する。さらに、前記無線通信ネットワークは、前記相手端末の間欠受信する周期に基づいて前記相手端末の着信タイミングを判定し、前記着信タイミングが遅れると判定した場合に、その旨を前記発信端末に通知する制御部を有する。
【００１４】
本発明の第２の視点による無線通信システムは、発信端末と、前記発信端末が呼び出す相手端末と、前記発信端末から前記相手端末への呼び出しを制御する無線通信ネットワークと、を備えた無線通信システムであって、前記相手端末は、前記無線通信ネットワークが送信するページング信号を間欠受信する周期を変更する間欠受信周期変更部を有する。また、前記無線通信ネットワークは、前記相手端末を含む複数の携帯端末の間欠受信する周期を記憶する記憶部を有する。さらに、前記無線通信ネットワークは、前記相手端末の間欠受信する周期を前記発信端末に送信する制御部を有する。また、前記発信端末は、受信した前記相手端末の間欠受信する周期に基づいて、前記相手端末の着信タイミングを判定し、前記着信タイミングが遅れると判定した場合に、その旨を、前記発信端末のユーザに通知する。
【００１５】
本発明の第３の視点による携帯端末は、無線通信ネットワークを介して、相手端末を呼び出す携帯端末であって、前記携帯端末は、前記無線通信ネットワークが記憶した前記相手端末のページング信号を間欠受信する周期を、前記無線通信ネットワークから受信する。そして、受信した前記相手端末の間欠受信する周期に基づいて、前記相手端末の着信タイミングを判定する。さらに、前記着信タイミングが遅れると判定した場合に、その旨を、前記携帯端末のユーザに通知する。
【００１６】
本発明の第４の視点による無線通信方法は、無線通信ネットワークを介して発信端末が相手端末を呼び出す無線通信方法であって、以下のステップを含む。即ち、前記相手端末がページング信号を間欠受信する周期を変更するステップを含む。また、前記相手端末を含む複数の携帯端末の間欠受信する周期を記憶するステップを含む。また、前記発信端末が前記相手端末を呼び出す際に、前記相手端末の間欠受信する周期を読み出すステップを含む。また、前記相手端末の間欠受信周期に基づいて、前記相手端末の着信タイミングを判定する判定ステップを含む。さらに、前記着信タイミングが遅れると判定した場合に、その旨を前記発信端末のユーザに通知するステップを含む。
【発明の効果】
【００１７】
本発明の無線通信システムによれば、相手端末が間欠受信周期を長く設定している場合に、相手端末の着信タイミングが遅れる旨を発信者に通知することが可能になる。
【図面の簡単な説明】
【００１８】
【図１】本発明の第１の実施形態に係る無線通信ネットワークの概要を示すブロック図である。
【図２】本発明の第１の実施形態に係る発信端末及び相手端末を示すブロック図である。
【図３】本発明の第１の実施形態の動作を説明するためのシーケンスチャートである。
【図４】本発明の第１の実施形態の動作を説明するためのフローチャートである。
【図５】本発明の第１の実施形態の変形例を説明するための図である。
【図６】本発明の第２の実施形態を説明するための図である。
【図７】本発明の第２の実施形態の動作を説明するためのシーケンスチャートである。
【図８】本発明の第２の実施形態の動作を説明するためのフローチャートである。
【図９】本発明の第３の実施形態を説明するための図である。
【図１０】本発明の第３の実施形態の動作を説明するためのフローチャートである。
【図１１】本発明の第４の実施形態を説明するための図である。
【図１２】本発明の第４の実施形態の動作を説明するためのフローチャートである。
【図１３】比較例の動作を説明するためのシーケンスチャートである。
【図１４】比較例の動作を説明するためのシーケンスチャートである。
【図１５】比較例の無線通信ネットワークの概要を示すブロック図である。
【発明を実施するための形態】
【００１９】
まず、本発明の実施形態の概要について説明する。なお、実施形態の概要の説明において付記した図面参照符号は専ら理解を助けるための例示であり、図示の態様に限定することを意図するものではない。
【００２０】
本発明の一実施形態における無線通信システムは、図１、図２に示すように、発信端末１００と、発信端末１００が呼び出す相手端末２００と、発信端末１００から相手端末２００への呼び出しを制御する無線通信ネットワーク１０と、を備えた無線通信システムであって、相手端末２００は、無線通信ネットワーク１０が送信するページング信号Ｃ１を間欠受信する周期を変更する間欠受信周期変更部２１１を有する。また、無線通信ネットワーク１０は、相手端末２００を含む複数の携帯端末の間欠受信する周期を記憶する記憶部１４を有する。さらに、無線通信ネットワーク１０は、相手端末２００の間欠受信する周期に基づいて相手端末２００の着信タイミングを判定し、着信タイミングが遅れると判定した場合に、その旨を発信端末１００に通知する制御部１６を有する。
【００２１】
上記の構成により、相手端末２００が間欠受信周期変更部２１１で間欠受信周期を長い周期に変更した場合、発信端末１００が相手端末２００を呼び出す際に、制御部１６は記憶部１４に記憶された相手端末２００の変更された間欠受信周期に基づいて、相手端末２００の着信タイミングが遅れることを判定することができる。そして、着信タイミングが遅れる旨を発信端末１００に通知することができる。
【００２２】
上記無線通信システムにおいて、制御部１６は、相手端末２００の間欠受信する周期が所定の閾値（図１の１７）以上である場合に、着信タイミングが遅れると判定するようにしてもよい。
【００２３】
また、上記無線通信システムにおいて、記憶部１４は、更に、相手端末２００を含む複数の携帯端末のページング信号の受信タイミングを記憶し、制御部１６は、相手端末２００のページング信号の受信タイミングに基づいて、発信端末１００の発信タイミングから相手端末２００のページング信号の受信タイミングまでの時間（図６のｔ０〜ｔ６等）を算出し、該時間が所定の閾値以上である場合に相手端末２００の着信が遅れると判定するようにしてもよい。
【００２４】
本発明の別の一実施形態における無線通信システムは、図１１又は図２（ｂ）のいずれかに示すように、発信端末１００と、発信端末１００が呼び出す相手端末２００と、発信端末１００から相手端末２００への呼び出しを制御する無線通信ネットワーク１０と、を備えた無線通信システムであって、相手端末２００は、無線通信ネットワーク１０が送信するページング信号を間欠受信する周期を変更する間欠受信周期変更部２１１を有する。また、無線通信ネットワーク１０は、相手端末２００を含む複数の携帯端末の間欠受信する周期を記憶する記憶部１４を有する。さらに、無線通信ネットワーク１０は、相手端末２００の間欠受信する周期Ｃ４を発信端末１００に送信する制御部１６を有する。また、発信端末１００は、受信した相手端末の間欠受信する周期Ｃ４に基づいて、相手端末２００の着信タイミングを判定し、着信タイミングが遅れると判定した場合に、その旨を、発信端末１００のユーザに通知する。
【００２５】
上記無線通信システムにおいて、発信端末１００は、相手端末２００の間欠受信する周期が所定の閾値（図１１の３７）以上である場合に、着信タイミングが遅れると判定するようにしてもよい。
【００２６】
上記無線通信システムにおいて、記憶部１４は、更に、相手端末２００を含む複数の携帯端末のページング信号の受信タイミングを記憶し、制御部１６は、相手端末２００のページング信号の受信タイミングに基づいて、発信端末１００の発信タイミングから相手端末２００のページング信号の受信タイミングまでの時間（図６のｔ０〜ｔ６等）を算出し、該時間を発信端末１００に送信し、発信端末１００は、該時間が所定の閾値以上である場合に、着信タイミングが遅れると判定するようにしてもよい。
【００２７】
本発明の一実施形態における携帯端末１００は、図１１に示すように、無線通信ネットワーク１０を介して、相手端末２００を呼び出す携帯端末であって、携帯端末１００は、無線通信ネットワーク１０が記憶した相手端末２００のページング信号Ｃ１を間欠受信する周期を、無線通信ネットワーク１０から受信する。そして、受信した相手端末２００の間欠受信する周期Ｃ４に基づいて、相手端末２００の着信タイミングを判定する。さらに、着信タイミングが遅れると判定した場合に、その旨を、携帯端末１００のユーザに通知する。
【００２８】
本発明の一実施形態における無線通信方法は、図４に示すように、無線通信ネットワーク１０を介して発信端末１００が相手端末２００を呼び出す無線通信方法であって、以下のステップを含む。即ち、相手端末２００がページング信号Ｃ１を間欠受信する周期を変更するステップ（ステップＳ１００）を含む。また、相手端末２００を含む複数の携帯端末の間欠受信する周期を記憶するステップ（ステップＳ１０２）を含む。また、発信端末１００が相手端末２００を呼び出す際に、相手端末２００の間欠受信する周期を読み出すステップ（ステップＳ２０２及びＳ２０４）を含む。また、相手端末２００の間欠受信周期に基づいて、相手端末２００の着信タイミングを判定する判定ステップ（ステップＳ２０５）を含む。さらに、着信タイミングが遅れると判定した場合に、その旨を発信端末１００のユーザに通知するステップ（ステップＳ２０６及びＳ２０７）を含む。
【００２９】
上記無線通信方法において、上記判定ステップ（ステップＳ２０５）は、相手端末２００の間欠受信する周期が所定の閾値（図１の１７、又は図１１の３７）以上である場合に、前記着信タイミングが遅れると判定するようにしてもよい。
【００３０】
上記無線通信方法において、図８に示すように、相手端末２００を含む複数の携帯端末のページング信号の受信タイミングを記憶するステップ（ステップＳ３０２）と、発信端末１００が相手端末２００を呼び出す際に、相手端末２００のページング信号の受信タイミングを読み出すステップ（ステップＳ４０２及びＳ４０４）と、相手端末２００のページング信号の受信タイミングに基づいて、発信端末１００の発信タイミングから相手端末２００のページング信号の受信タイミングまでの時間（図６のｔ０〜ｔ６等）を算出するステップ（ステップＳ４０５）と、を更に含み、上記判定ステップは、該時間が所定の閾値以上である場合に、着信タイミングが遅れると判定する（ステップＳ４０６）ようにしてもよい。
【００３１】
以下、本発明の各実施形態について、図面を参照して詳しく説明する。
【００３２】
［第１の実施形態］
（第１の実施形態の構成）
第１の実施形態に係る無線通信システムの構成について、図１、図２を参照しながら詳細に説明する。第１の実施形態に係る無線通信システムは、図１に示す無線通信ネットワーク（以後、「ネットワーク」ともいう）と、図２に示す発信端末１００と、相手端末２００と、で構成される。本実施形態では、発信者が発信端末１００から相手端末２００に電話をかけて、相手端末２００を呼び出すことを想定している。即ち、発信端末１００は発信側の携帯端末であり、相手端末２００は着信側の携帯端末である。但し、発信端末１００は発信側となる場合の説明するため「発信端末」といい、相手端末２００は着信側となる場合の説明するため「相手端末」と呼んでいるだけであり、これらは、発信及び着信の両方の機能を有している携帯端末である。
【００３３】
まず、図２（ａ）は、発信端末１００の発信機能に関連した箇所を示すブロック図である。発信端末１００は、端末制御部１１０と、端末記憶部１２０と、無線通信部１３０と、ＭＭＩ（Ｍａｎ  Ｍａｃｈｉｎｅ  Ｉｎｔｅｒｆａｃｅ）部１４０と、スピーカー部１５０と、アンテナ１６０と、を備えている。ここで、端末制御部１１０はＣＰＵ（Ｃｅｎｔｒａｌ  Ｐｒｏｃｅｓｓｉｎｇ  Ｕｎｉｔ）を含み、発信端末１００全体を制御する。また、端末記憶部１２０は、端末制御部１１０が動作するためのプログラムを格納するＲＯＭ（Ｒｅａｄ  Ｏｎｌｙ  Ｍｅｍｏｒｙ）と、データの読み出し／書き込みを行うためのＲＡＭを備えている。また、ＭＭＩ部１４０は画面表示やユーザがキー操作を行う箇所である。スピーカー部１５０はユーザに音を伝えるためのものである。また、無線通信部１３０は、アンテナ１６０を介して無線通信ネットワーク１０に電波を送信する機能を有する。
【００３４】
次に、図２（ｂ）は、相手端末２００の着信機能に関連した箇所を示すブロック図である。相手端末２００は、端末制御部２１０と、端末記憶部２２０と、無線通信部２３０と、ＭＭＩ部２４０と、スピーカー部２５０と、アンテナ２６０と、を備えている。ここで、端末制御部２１０はＣＰＵを含み、相手端末２００全体を制御する。また、端末記憶部２２０は、端末制御部２１０が動作するためのプログラムを格納するＲＯＭ（Ｒｅａｄ  Ｏｎｌｙ  Ｍｅｍｏｒｙ）と、データの読み出し／書き込みを行うためのＲＡＭを備えている。また、ＭＭＩ部２４０は画面表示やユーザがキー操作を行う箇所である。スピーカー部２５０はユーザに音を伝えるためのものである。また、無線通信部２３０は、アンテナ２６０を介して無線通信ネットワーク１０からの電波を受信する機能を有する。
【００３５】
また、図２（ｂ）に示すように、相手端末２００の端末制御部２１０は、間欠受信周期変更部２１１を有している。間欠受信周期変更部２１１は、相手端末２００のユーザがＭＭＩ部２４０を介して間欠受信周期を変更する機能を有している。ここで、間欠受信周期は無線通信ネットワーク１０が送信するページング信号Ｃ１を間欠受信する周期である。
【００３６】
次に、図１を参照しながら、無線通信ネットワーク１０の構成について説明する。図１に示すように、無線通信ネットワーク１０は、移動網１２と、制御部１６と、記憶部１４と、複数の無線基地局（２０ａ〜２０ｃ）と、を備えている。また、制御部１６には、閾値α１７（詳細は後述）が入力されている。また、各無線基地局（２０ａ〜２０ｃ）は、無線通信部（２２ａ〜２２ｃ）を備え、各無線通信部は各アンテナ（２４ａ〜２４ｃ）を介して圏内の携帯端末と無線通信を行う。
【００３７】
また、記憶部１４には、位置情報データ２６と、間欠受信周期データ２８と、アナウンスの音データ３０が格納される。ここで、位置情報データ２６は位置登録の動作で生成されるデータベースである。これについて、以下に詳細に説明する。まず、各携帯端末が電源を入れたときに、近くにある無線基地局を探し、最寄りの無線基地局に対して携帯端末の居場所情報を送る。この動作を位置登録という。この位置登録の情報は記憶部１４の位置情報データ２６に送られる。また、携帯端末は電源を入れたときだけではなく、移動したときにも位置登録を行う。これを最寄りの無線基地局が変わるたびに行うと位置情報を送る頻度が多すぎるため、いくつかの無線基地局を纏めた、ある程度広いエリアを位置登録エリアと定義し、位置登録エリアが変わると位置登情報を送るようにしている。図１に示すように、位置登録エリア１８は、複数の無線基地局（２０ａ〜２０ｂ）を含んでいる。
【００３８】
次に、間欠受信周期データ２８は、複数の携帯端末に対し、各携帯端末を識別する情報と、その携帯端末に設定された間欠受信周期を対応付けて記憶しているデータベースである。ここで、本実施形態では、携帯端末を識別する情報として、電話番号を使用する。但し、それに限定されず、携帯端末を識別する情報であれば何でもよい。例えば、携帯電話機に挿入されるＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）に含まれるＩＭＳＩ（Ｉｎｔｅｒｎａｔｉｏｎａｌ  Ｓｕｂｓｃｒｉｂｅｒ  Ｉｄｅｎｔｉｔｙ）を使用してもよい。
【００３９】
次に、アナウンスの音データ３０は、相手端末２００の着信タイミングが遅れる場合に、発信端末１００に送信される音データであり、例えば、「ただいま呼び出し中です」という音声データである。アナウンスの音データ３０は、公知の音声ファイルフォーマット、例えばＷＡＶ、ｍｐ３などが適用可能である。
【００４０】
（比較例）
次に、第１の実施形態の動作を説明する前に、本発明に関連した比較例について説明することにより、本発明の課題について具体的に説明する。図１５は、比較例における無線通信ネットワーク（ネットワーク）１１の概要を示すブロック図である。図１５を図１と比較するとわかるように、図１５の記憶部４４には、アナウンスの音データ３０を含んでいない。また、図１５の制御部４６には、図１の閾値α１７は入力されない。また、制御部４６の動作は、制御部１６とは異なっている（詳細は後述）。尚、図１５において、図１と実質的に同じ機能を有する構成要素には同じ符号を付し、説明は省略する。
【００４１】
以下に、無線通信ネットワーク１１（図１５）と、発信端末１０１と、相手端末２０１で構成される比較例の無線通信システムの動作について説明する。
【００４２】
図１３は、比較例の動作を示すシーケンスチャートである。図１３は、発信端末１０１から相手端末２０１に発信した際に、発信端末１０１で着信音が鳴るまでのシーケンスを示している。まず、発信端末１０１のユーザ（発信者）は、相手端末２０１を呼び出す発信を行う（Ｓ４２）。そして発信端末１０１は、相手端末２０１がページングに応答するまでの間、発信中であることを示す「プ・プ・プ・・」音を鳴らす（Ｓ４３）。次に、相手端末２０１のページング監視のタイミングは、図１３に示すように、Ｓ４１、Ｓ４４等であり、ネットワーク１１は、相手端末２０１が受信できるタイミング（Ｓ４４）の期間に、ページング信号Ｃ１を送信する（Ｓ４５）。具体的には、ネットワーク１１は、位置情報データ２６により相手端末２０１が位置登録されている位置登録エリア１８を読み出し、位置登録エリア１８内の全ての無線基地局（２０ａ〜２０ｂ）からページング信号Ｃ１を送信している。
【００４３】
相手端末２０１はＳ４４の期間にページング信号Ｃ１を受信し、自端末宛のページングであると検知する。この検知のタイミングが着信タイミングである。そして、相手端末２０１は、「ジリリリ・・」という着信音を鳴らし、相手端末２０１のユーザに着信を知らせる（Ｓ４７）。
【００４４】
相手端末２０１は、着信音開始と同時に、ネットワーク１１に対して、着信音を開始したことを通知するメッセージＡＬＥＲＴを送る（Ｓ４６）。さらに、ネットワーク１１は発信端末１０１に上記のメッセージＡＬＥＲＴを送る（Ｓ４８）。発信端末１０１は、メッセージＡＬＥＲＴを受信すると、呼び出し中であることを示す着信音「プルルル・・」を鳴らす（Ｓ４９）。
【００４５】
ここで、間欠受信周期が仕様に基づいてどのように設定されるかについて、説明しておく。ＵＭＴＳにおいて、間欠受信周期がネットワーク１１からの報知情報で指定される場合には、ＣＮ  Ｓｐｅｃｉｆｉｃ  ＤＲＸ  ｃｙｃｌｅ  ｌｅｎｇｔｈ  ｃｏｅｆｆｉｃｉｅｎｔという値で指定される。間欠受信周期（秒）は、以下の式（１）で計算される。例えば、ＤＲＸ  ｃｙｃｌｅ  ｌｅｎｇｔｈ  ｃｏｅｆｆｉｃｉｅｎｔが８の場合、式（１）より２．５６ｓとなる。図１３に示す間欠周期（Ｓ４４とＳ４１の間隔）は、２．５６ｓに設定されているとする。
【００４６】
【数１】
2013135259.tif 000003
【００４７】
次に、図１４は、相手端末２０１の間欠受信周期が長く設定される場合を示している。端末側からネットワーク１０に要求する間欠受信周期の値は、３ＧＰＰＳｐｅｃ仕様では、式（１）と同様に、ＤＲＸ  ｃｙｃｌｅ  ｌｅｎｇｔｈ  ｃｏｅｆｆｉｃｉｅｎｔの値で要求される。本仕様内では、ＤＲＸ  ｃｙｃｌｅ  ｌｅｎｇｔｈ  ｃｏｅｆｆｉｃｉｅｎｔの値は９までを設定可能としているが、図１４では、仕様が拡張されたことを想定し、相手端末２０１のＤＲＸ  ｃｙｃｌｅ  ｌｅｎｇｔｈ  ｃｏｅｆｆｉｃｉｅｎｔが１０の場合を示している。この場合の間欠受信周期は、式（１）より、１０．２４ｓである。
【００４８】
以下に、図１４を参照しながら、相手端末２０１の間欠受信周期が１０．２４ｓの場合の動作について説明する。まず、相手端末２０１のユーザは、ＭＭＩ部２４０を介して間欠受信周期を２．５６ｓから１０．２４ｓに変更する（Ｓ５１）。そして、変更した間欠受信周期をネットワーク１１に通知し、ネットワーク１１は間欠受信周期データ２８に変更を記憶させる（Ｓ５２）。そして、発信端末１０１のユーザ（発信者）は、相手端末２０１を呼び出す発信を行う（Ｓ５４）。そして発信端末１０１は、相手端末２０１がページングに応答するまでの間、発信中であることを示す「プ・プ・プ・・」音を鳴らす（Ｓ５５）。次に、相手端末２０１のページング監視のタイミングは、図１４に示すように、Ｓ５３、Ｓ５６等であり、ネットワーク１１は、相手端末２０１が受信できるタイミング（Ｓ５６）の期間に、ページング信号Ｃ１を送出する（Ｓ５７）。
【００４９】
相手端末２０１はＳ５６の期間にページング信号Ｃ１を受信し、自端末宛のページングであると検知する。この検知のタイミングが着信タイミングである。そして、相手端末２０１は、「ジリリリ・・」という着信音を鳴らし、相手端末２０１のユーザに着信を知らせる（Ｓ５９）。
【００５０】
相手端末２０１は、着信音開始と同時に、ネットワーク１１に対して、メッセージＡＬＥＲＴを送る（Ｓ５８）。さらに、ネットワーク１１は発信端末に上記のメッセージＡＬＥＲＴを送る（Ｓ６０）。発信端末１０１は、メッセージＡＬＥＲＴを受信すると、呼び出し中であることを示す着信音「プルルル・・」を鳴らす（Ｓ６１）。
【００５１】
以上のように、間欠受信周期を、通常の間欠受信周期２．５６ｓ（図１３）から、長い間欠受信周期１０．２４ｓ（図１４）に変更すると、相手端末２０１の着信タイミングに遅れが発生し、その分だけ、発信中であることを示す「プ・プ・プ・・」音が鳴り続ける。この期間は最長で１０ｓ程度になる。
【００５２】
（第１の実施形態の動作）
次に図３、４を参照しながら、第１の実施形態に係る無線通信システムの動作について、比較例の動作と対照させながら、詳細に説明する。図３は、第１の実施形態に係る無線通信システムの動作を示すシーケンスチャートである。図３は、図１４と同様に、相手端末２００の間欠受信周期を１０．２４ｓに変更した場合を想定している。尚、以下の図３の説明において、図１４（比較例のシーケンスチャート）と同様のステップについては、説明を省略する。
【００５３】
具体的には、図３のＳ１、Ｓ２、Ｓ３、Ｓ４、Ｓ９、Ｓ１０、Ｓ１１、Ｓ１２、Ｓ１３、Ｓ１４は、夫々、図１４のＳ５１、Ｓ５２、Ｓ５３、Ｓ５４、Ｓ５６、Ｓ５７、Ｓ５８、Ｓ５９、Ｓ６０、Ｓ６１と同様であるため、説明を省略する。即ち、図３において、第１の実施形態の比較例に対する差異は、Ｓ５、Ｓ６、Ｓ７、Ｓ８である。
【００５４】
図３のＳ４で、発信端末１００のユーザが相手端末２００を呼び出す発信を行うと同時に、発信端末１００は、発信中であることを示す「プ・プ・プ・・」音を鳴らす（Ｓ５）。ネットワーク１０の制御部１６は、Ｓ４の発信端末１００からの発信要求を受けると、相手端末２００の間欠受信周期を間欠受信周期データ２８から読み出し、相手端末２００の間欠受信周期が所定の閾値α（図１の１７）より長いか否かを判定する。ここで、閾値α１７は、ネットワーク１０の制御部１６が、α＝５．１２と設定しているものとする。相手端末２００の間欠受信周期１０．２４ｓは閾値α１７よりも長いため、制御部１６は、相手端末２００の間欠受信周期が長いと判断する（Ｓ６）。
【００５５】
次に、制御部１６は、記憶部１４のアナウンスの音データ３０を発信端末１００に送信する（Ｓ７）。アナウンスの音データ３０は、例えば、「ただいま呼び出し中です」というデータである。発信端末１００は、受信したアナウンスの音データ３０「ただいま呼び出し中です」を、発信端末１００のスピーカー部１５０から再生する（Ｓ８）。
【００５６】
図３を図１４と比較すると分かるように、第１の実施形態（図３）では、発信端末１００は、Ｓ７からＳ１３の期間、「ただいま呼び出し中です」というアナウンスを流すようにした（Ｓ８）から、「プ・プ・プ・・」音の期間を、比較例（図１４）に対して大幅に短縮することができる。
【００５７】
次に、図４は、第１の実施形態に係る無線通信システムの動作を示すフローチャートであり、図３に示す動作をより詳細に説明したものである。図４（ａ）は、相手端末２００が間欠受信周期を変更する場合のフローを示し、図４（ｂ）は、発信端末１００がネットワーク１０を介して相手端末２００を呼び出す場合のフローを示している。
【００５８】
図４（ａ）において、相手端末２００が間欠受信周期を変更する（Ｓ１００）。次に、相手端末２００は、ネットワーク１０に対して変更した間欠受信周期を通知する（Ｓ１０１）。次に、ネットワーク１０は間欠受信周期を端末識別情報（電話番号）と対応付けて間欠受信周期データ２８に記憶する（Ｓ１０２）。
【００５９】
図４（ｂ）において、発信端末１００が相手端末２００を呼び出す発信を行う（Ｓ２００）。すると、発信端末１００からネットワーク１０に対して、発信要求が送信される（Ｓ２０１）。ネットワーク１０は、間欠受信周期データ２８に、電話番号で指定される相手端末２００の間欠受信周期が記憶されているか否かを判別する（Ｓ２０２）。ステップＳ２０２でＹｅｓと判定した場合には、間欠受信周期データ２８の間欠受信周期を相手端末２００の間欠受信周期とする（Ｓ２０４）。一方、ステップＳ２０２でＮｏと判定された場合には、ディフォルトの間欠受信周期を相手端末２００の間欠受信周期とする（Ｓ２０３）。ここで、ディフォルトの間欠受信周期は、ネットワーク１０が予め、各端末に対して報知する値で、ここでは、２．５６ｓとする。
【００６０】
次に、相手端末２００の間欠受信周期が閾値α以上か否かを判定する（Ｓ２０５）。ステップＳ２０５で、Ｙｅｓと判定した場合には、制御部１６は、記憶部１４のアナウンスの音データ３０を発信端末１００に送信する（Ｓ２０６）。そして、発信端末１００は、アナウンスを再生する（Ｓ２０７）。一方、ステップＳ２０５で、Ｎｏと判定した場合には、ステップＳ２０６、Ｓ２０７は実行されない。
【００６１】
以上説明したように、第１の実施形態に係る無線通信システムによれば、相手端末２００が間欠受信周期を長く設定している場合に、相手端末２００の着信タイミングが遅れる旨をアナウンスで通知するようにしたから、比較例のように、発信中を示す「プ・プ・プ・・」音が長く鳴り続けることがなくなる。それにより、発信者が、違和感を持つことが軽減され、発信者は安心して発信動作を行うことができるようになる。
【００６２】
（第１の実施形態の変形例）
次に、第１の実施形態の変形例について説明する。図５は、第１の実施形態の変形例を説明するための図である。第１の実施形態の変形例は、第１の実施形態に対して、図１のアナウンスの音データ３０を、図５の文字／画像データ３２に置き換えた点が異なっている。図５では、相手端末２００の着信タイミングが遅れる場合に、文字／画像データ３２から読み出された文字データＣ２が制御部１６と無線通信部２２ａを介して送信される場合を示している。送信される文字データＣ２は「ただいま呼び出し中です」という文字データである。そして、発信端末１００は、スピーカー部１５０からアナウンスを再生する（図３のＳ８）代わりに、ＭＭＩ部１４０の表示画面１４２に文字データＣ２「ただいま呼び出し中です」を表示することにより、発信端末１００のユーザに、着信タイミングが遅れる旨を通知する。
【００６３】
また、文字データに限定されず、画像データでもよく、発信端末１００の表示画面１４２に表示することによって、相手端末２００の着信タイミングが遅れる旨を通知できるものであればよい。
【００６４】
第１の実施形態の変形例に係る無線通信システムによれば、第１の実施形態と同様な効果が得られる。
【００６５】
（第２の実施形態）
次に、本発明の第２の実施形態について、説明する。図６は、第２の実施形態を説明するための図である。図６において、第１の実施形態と同様に、ディフォルトの間欠受信周期は２．５６ｓに設定されているとする。図６の（Ａ）は、相手端末２００がディフォルトの間欠受信周期２．５６ｓのままで、間欠受信周期を変更していない状態を示している。第１列はページング信号のタイミングをフレーム番号で示している。ＵＭＴＳの場合、１フレームは１０ｍｓであるため、間欠受信周期はフレーム番号に換算すると、２５６フレームとなる。ここで、端末がページング信号を受信するタイミングは、ＵＳＩＭ内のＩＭＳＩパラメータで設定されており、相手端末２００は、図６に示すように、フレーム番号が、１、２５７、５１３、７６９、１０２５、１２８１、１５３７、１７９３、．．．のときにページング信号を受信するように設定されているものとする（但し、これらのフレーム番号は例示であり、ＵＳＩＭのＩＭＳＩパラメータによって、受信するフレーム番号は変わる。例えば、２、２５８、．．．と受信する端末もあれば、１０、２６６、．．．と受信する端末もある）。このように設定された状態で、ネットワーク１０が、図６に示す発信タイミングで、発信端末１００から発信要求を受けた場合を想定する。
【００６６】
この場合、相手端末２００がページング信号を受信することができるタイミングはフレーム番号５１３であり、時間ｔ０後に着信することができる。
【００６７】
次に、相手端末２００が間欠受信周期変更部２１１で間欠受信周期を５．１２ｓに変更したとする。具体的には、ＤＲＸ  ｃｙｃｌｅ  ｌｅｎｇｔｈ  ｃｏｅｆｆｉｃｉｅｎｔを８から９に変更した場合である。その場合、相手端末２００がページング信号を受信するタイミングは、図６の（Ｂ）のように、フレーム番号が１、５１３、１０２５、１５３７とするか、又は、図６の（Ｃ）のように、フレーム番号が２５７、７６９、１２８１、１７９３とするかの２通りの場合が考えられる。図６の（Ｂ）の場合には、時間ｔ１後に着信することができるが、図６の（Ｃ）の場合には、時間ｔ２後になってから着信することができる。ここで、ｔ２＞ｔ１である。このように、ページング信号の受信タイミングは、間欠受信周期だけでなく、受信タイミングの位相に依存していることが分かる。
【００６８】
次に、相手端末２００が間欠受信周期変更部２１１で間欠受信周期を１０．２４ｓに変更したとする。具体的には、ＤＲＸ  ｃｙｃｌｅ  ｌｅｎｇｔｈ  ｃｏｅｆｆｉｃｉｅｎｔを８から１０に変更した場合である。その場合、相手端末２００がページング信号を受信するタイミングは、図６の（Ｄ）のように、フレーム番号が１、１０２５、．．．とするか、図６の（Ｅ）のように、フレーム番号が２５７、１２８１、．．．とするか、図６の（Ｆ）のように、フレーム番号が５１３、１５３７、．．．とするか、図６の（Ｇ）のように、フレーム番号が７６９、１９７３、．．．とするか、の４通りの場合が考えられる。図６の（Ｄ）、（Ｅ）、（Ｆ）、（Ｇ）では、夫々、時間ｔ３、ｔ４、ｔ５、ｔ６後に着信することができる。このように間欠受信周期が１０．２４ｓの場合も、ページング信号の受信タイミングは、間欠受信周期だけでなく、受信タイミングの位相に依存していることが分かる。ここで、ｔ４＞ｔ３＞ｔ６＞ｔ５である。
【００６９】
第２の実施形態に係る無線通信システムは、上記した図６による説明内容に基づいたものであり、第１の実施形態に対して、具体的には、以下の点を変更している。
【００７０】
第１に、記憶部１４に記憶する間欠受信周期データ２８（図１）において、ページング信号受信タイミング（以下、「ページング受信タイミング」ともいう）を端末識別情報と対応付けて記憶するようにしている。ページング信号受信タイミングは、図６で説明したように、相手端末２００がページング信号を受信することができるフレーム番号であり、間欠受信周期と、初期位相を示すフレーム番号と、で表すことができる。具体的には、例えば、図６の（Ｂ）の場合、「間欠受信周期５．１２、初期位相を示すフレーム番号１」を記憶する。また、図６の（Ｃ）の場合、「間欠受信周期５．１２、初期位相を示すフレーム番号２５７」を記憶する。また、図６の（Ｄ）の場合、「間欠受信周期１０．２４、初期位相を示すフレーム番号１」を記憶する。また、図６の（Ｅ）の場合、「間欠受信周期１０．２４、初期位相を示すフレーム番号２５７」を記憶する。図６の（Ｆ）の場合、「間欠受信周期１０．２４、初期位相を示すフレーム番号５１３」を記憶する。図６の（Ｇ）の場合、「間欠受信周期１０．２４、初期位相を示すフレーム番号７６９」を記憶する。
【００７１】
但し、記憶するページング信号受信タイミングは、上記した間欠受信周期と初期位相を示すフレーム番号に限定されず、ページング信号を受信可能なタイミングを表すものであれば何でもよい。
【００７２】
第２に、制御部１６（図１）による判定処理を上記のページング信号受信タイミングを使用した方法に変更している。
【００７３】
次に、上述した変更点について、図８のフローチャートを参照しながら詳細に説明する。
【００７４】
図８（ａ）は、相手端末２００が間欠受信周期を変更する場合のフローを示し、図８（ｂ）は、発信端末１００がネットワーク１０を介して相手端末２００を呼び出す場合のフローを示している。
【００７５】
図８（ａ）において、相手端末２００が間欠受信周期を変更する（Ｓ３００）。次に、相手端末２００は、ネットワーク１０に対してページング受信タイミングを通知する（Ｓ３０１）。次に、ネットワーク１０はページング受信タイミングを端末識別情報（電話番号）と対応付けて間欠受信周期データ２８に記憶する（Ｓ３０２）。
【００７６】
図８（ｂ）において、発信端末１００が相手端末２００を呼び出す発信を行う（Ｓ４００）。すると、発信端末１００からネットワーク１０に対して、発信要求が送信される（Ｓ４０１）。ネットワーク１０は、間欠受信周期データ２８に、電話番号で指定される相手端末２００のページング受信タイミングが記憶されているか否かを判別する（Ｓ４０２）。ステップＳ４０２でＹｅｓと判定した場合には、間欠受信周期データ２８のページング受信タイミングを相手端末２００のページング受信タイミングとする（Ｓ４０４）。一方、ステップＳ４０２でＮｏと判定した場合には、ディフォルトのページング受信タイミングを相手端末２００のページング受信タイミングとする（Ｓ４０３）。
【００７７】
次に、ページング信号を受信するまでの時間を式（２）で計算する（Ｓ４０５）。ページング信号を受信するまでの時間は、例えば、図６のｔ０〜ｔ６である。
【００７８】
【数２】
2013135259.tif 000004
【００７９】
次に、相手端末２００のページング信号を受信するまでの時間が閾値β以上か否かを判定する（Ｓ４０６）。ステップＳ４０６で、Ｙｅｓと判定した場合には、制御部１６は、アナウンスの音データ３０を発信端末１００に送信する（Ｓ４０７）。そして、発信端末１００は、アナウンスを再生する（Ｓ４０８）。一方、ステップＳ４０６で、Ｎｏと判定した場合には、ステップＳ４０７、Ｓ４０８は実行されない。
【００８０】
また、ステップＳ４０６で判定に使用する閾値βを、第１の実施形態の閾値α（図１の１７）に替わって、制御部１６に入力する。
【００８１】
例えば、閾値β＝５．１２と設定した場合、図６において、ページング信号を受信するまでの時間ｔ０〜ｔ６を閾値βと比較すると、ページング信号を受信するまでの時間が閾値β以上となるのは、ｔ３（図６の（Ｄ））、ｔ４（図６の（Ｅ））の場合だけである。従って、図６の（Ｄ）、（Ｅ）の場合のみ、アナウンスによる通知を行うことになる。
【００８２】
一方、第１の実施形態で、閾値α＝５．１２とした場合には、図６の（Ｂ）〜（Ｇ）は全て、アナウンスによる通知を行うことになる。これは、ページング信号を受信するまでの時間が短い場合においても、アナウンスによる通知を行われることを意味する。
【００８３】
次に、図７は、第２の実施形態の動作を説明するためのシーケンスチャートである。図７は、例として、図６の（Ｇ）の場合をシーケンスチャートで示している。図７において、発信タイミング（Ｓ２４のタイミング；式（２）の現在時刻）、相手端末２００が受信するタイミング（Ｓ２９のタイミング；式（２）の（発信タイミング後で最短の）ページング信号受信タイミング）に基づいて、式（２）によりページング信号を受信するまでの時間（図６のｔ６）を計算する（Ｓ２６）。すると、ｔ６＜βとなるため、アナウンスは不要と判断する（Ｓ２７）。従って、図７において、「ただいま呼び出し中です」のアナウンスは再生しない。
【００８４】
以上説明したように、第２の実施形態に係る無線通信システムによれば、第１の実施形態の効果に加えて、さらに以下の効果が得られる。すなわち、ページング信号受信タイミングに基づいてページング信号を受信するまでの時間を計算することにより、相手端末２００の着信タイミングの遅れを判定するようにしたから、ページング信号を受信するまでの時間が短い場合にはアナウンスによる通知を行わないようにすることができる。
【００８５】
（第３の実施形態）
次に、第３の実施形態について、図９、図１０を参照しながら説明する。図９は、第３の実施形態を説明するための図である。第３の実施形態は、第１の実施形態に対して、以下の点が異なっている。第１に、図１のアナウンスの音データ３０を、無線通信ネットワーク１０の記憶部１４にではなく、発信端末１００の端末記憶部１２０に、アナウンスの音データ３４として配置した点である。第２に、無線通信ネットワーク１０から発信端末１００に送信する信号を、制御部１６による判定結果を示す判定情報Ｃ３とした点である。
【００８６】
上記の変更点を、図１０のフローチャートを参照し、より詳細に説明する。尚、図１０において、図４（ｂ）（第１の実施形態）と異なるのは、ステップＳ５０４〜Ｓ５０８のみであり、その他は同じであるため、説明は省略する。まず、ステップＳ２０５において、Ｙｅｓと判定した場合、判定情報Ｃ３を「１」とし（Ｓ５０４）、Ｎｏと判定した場合、判定情報Ｃ３を「０」とする（Ｓ５０５）。次に、判定情報Ｃ３を発信端末１００に送信する（Ｓ５０６）。
【００８７】
次に、発信端末１００において、判定情報Ｃ３が「１」であるか否かを判定し（Ｓ５０７）、Ｓ５０７の判定がＹｅｓの場合に、アナウンスを再生する（Ｓ５０８）。一方、Ｓ５０７の判定がＮｏの場合にはアナウンスは再生しない。
【００８８】
また、第３の実施形態において、第１の実施形態の変形例と同様に、アナウンスではなく、文字／画像データを発信端末１００の端末記憶部１２０に記憶しておき、表示画面１４２に表示するようにしてもよい。
【００８９】
以上説明したように、第３の実施形態に係る無線通信システムによれば、第１の実施形態と同様な効果が得られる。さらに、第３の実施形態では、発信端末１００のユーザが、ユーザの好みに応じた、アナウンスの音、或いは文字／画像データを設定することができるという効果が得られる。
【００９０】
（第４の実施形態）
次に、第４の実施形態について、図１１、図１２を参照しながら説明する。図１１は、第４の実施形態を説明するための図である。第４の実施形態は、第３の実施形態に対して、以下の点が異なっている。第１に、無線通信ネットワーク１０は、判定情報Ｃ３ではなく、相手端末の間欠受信周期Ｃ４を発信端末１００に送信するようにした点である。第２に、間欠受信周期が閾値α（図９の１７）以上か否かの判定を、発信端末１００の端末制御部１１０で行うようにした点である。それにより、図１１では、閾値α３７を端末制御部１１０に入力するように構成している。
【００９１】
上記の変更点を、図１２のフローチャートを参照し、より詳細に説明する。尚、図１２において、図４（ｂ）（第１の実施形態）と異なるのは、ステップＳ６０５〜Ｓ６０７のみであり、その他は同じであるため、説明は省略する。図１０において、ステップＳ２０３又はＳ２０４で得られた間欠受信周期を相手端末の間欠受信周期Ｃ４として発信端末１００に送信する（Ｓ６０５）。
【００９２】
次に、発信端末１００は、相手端末の間欠受信周期Ｃ４が閾値α３７以上か否かを判定し（Ｓ６０６）、Ｓ６０６の判定がＹｅｓの場合に、アナウンスを再生する（Ｓ６０７）。一方、Ｓ６０６の判定がＮｏの場合にはアナウンスは再生しない。
【００９３】
また、第４の実施形態において、第１の実施形態の変形例と同様に、アナウンスではなく、文字／画像データを発信端末１００の端末記憶部１２０に記憶しておき、表示画面１４２に表示するようにしてもよい。
【００９４】
第４の実施形態に係る無線通信システムによれば、第１の実施形態と同様な効果が得られる。さらに、第４の実施形態では、発信端末１００のユーザが、ユーザの好みに応じて、閾値α３７を設定することができるという効果が得られる。
【００９５】
また、第４の実施形態に係る発信端末１００によれば、相手端末２００が間欠受信周期を長く設定している場合に、相手端末２００の間欠受信周期を無線通信ネットワーク１０から受信することにより、比較例のように発信中を示す「プ・プ・プ・・」音が長く鳴り続けることがなくなり、発信者が違和感を持つことを軽減することができ、安心して発信動作を行うことができる携帯端末を提供することができる。
【００９６】
尚、第３及び第４の実施形態は、間欠受信周期による判定ではなく、第２の実施形態で説明したページング受信タイミングに基づく判定方法に変形することも可能である。
【００９７】
また、第１〜第４の実施形態を、ＰＣ（Ｐｅｒｓｏｎａｌ  Ｃｏｍｐｕｔｅｒ）を用いたインターネット電話システムに適用することも可能である。インターネット電話では、間欠受信周期ではなく、省電力モードになっている場合に復帰するまでに時間がかかることにより、着信タイミングが遅れる場合がある。そこで、予め、サーバーに省電力モードからの復帰時間などの情報を通知し、サーバーはその情報を元に着信タイミングの遅れが発生するか否かを判定し、着信タイミングの遅れが発生すると判定された場合に、発信者に通知することができる。
【００９８】
以上のように、インターネット電話システムにおいても、相手端末が省電力モードからの復帰に時間がかかることにより着信タイミングが遅れる場合、その旨を発信者に通知することができる。
【００９９】
尚、図４、８、１０、１２のフローチャートで示した各々の処理は、制御部１６、端末制御部１１０、又は端末制御部２１０が備えたコンピュータによって呼び出されて実行される。これらのプログラムは、ネットワークを介してダウンロードするか、或いは、プログラムを記憶した記憶媒体を用いて、更新することができる。
【０１００】
上記の実施形態の一部又は全部は、以下の付記のようにも記載されうるが、以下には限られない。
【０１０１】
（付記１）発信端末と、前記発信端末が呼び出す相手端末と、前記発信端末から前記相手端末への呼び出しを制御する無線通信ネットワークと、を備えた無線通信システムであって、
前記相手端末は、前記無線通信ネットワークが送信するページング信号を間欠受信する周期を変更する間欠受信周期変更部を有し、
前記無線通信ネットワークは、前記相手端末を含む複数の携帯端末の間欠受信する周期を記憶する記憶部と、前記相手端末の間欠受信する周期に基づいて前記相手端末の着信タイミングを判定し、前記着信タイミングが遅れると判定した場合に、その旨を前記発信端末に通知する制御部と、を有する、
ことを特徴とする無線通信システム。
【０１０２】
（付記２）前記制御部は、前記相手端末の間欠受信する周期が所定の閾値以上である場合に、前記着信タイミングが遅れると判定する、ことを特徴とする付記１に記載の無線通信システム。
【０１０３】
（付記３）前記記憶部は、更に、前記相手端末を含む複数の携帯端末のページング信号の受信タイミングを記憶し、
前記制御部は、前記相手端末のページング信号の受信タイミングに基づいて、前記発信端末の発信タイミングから前記相手端末のページング信号の受信タイミングまでの時間を算出し、前記時間が所定の閾値以上である場合に前記相手端末の着信が遅れると判定する、ことを特徴とする付記１に記載の無線通信システム。
【０１０４】
（付記４）前記通知の際に、前記無線通信ネットワークの制御部は、前記相手端末の着信タイミングが遅れる旨を示す音声データを前記発信端末に送信する、ことを特徴とする付記１に記載の無線通信システム。
【０１０５】
（付記５）前記通知の際に、前記無線通信ネットワークの制御部は、前記相手端末の着信タイミングが遅れる旨を示す文字又は画像を含むデータを前記発信端末に送信する、ことを特徴とする付記１に記載の無線通信システム。
【０１０６】
（付記６）前記通知の際に、前記無線通信ネットワークの制御部は、前記相手端末の着信タイミングが遅れる旨を示す判定情報を前記発信端末に送信する、ことを特徴とする付記１に記載の無線通信システム。
【０１０７】
（付記７）発信端末と、前記発信端末が呼び出す相手端末と、前記発信端末から前記相手端末への呼び出しを制御する無線通信ネットワークと、を備えた無線通信システムであって、
前記相手端末は、前記無線通信ネットワークが送信するページング信号を間欠受信する周期を変更する間欠受信周期変更部を有し、
前記無線通信ネットワークは、前記相手端末を含む複数の携帯端末の間欠受信する周期を記憶する記憶部と、前記相手端末の間欠受信する周期を前記発信端末に送信する制御部と、を有し、
前記発信端末は、受信した前記相手端末の間欠受信する周期に基づいて、前記相手端末の着信タイミングを判定し、前記着信タイミングが遅れると判定した場合に、その旨を、前記発信端末のユーザに通知する、ことを特徴とする無線通信システム。
【０１０８】
（付記８）前記発信端末は、前記相手端末の間欠受信する周期が所定の閾値以上である場合に、前記着信タイミングが遅れると判定する、ことを特徴とする付記７に記載の無線通信システム。
【０１０９】
（付記９）前記記憶部は、更に、前記相手端末を含む複数の携帯端末のページング信号の受信タイミングを記憶し、
前記制御部は、前記相手端末のページング信号の受信タイミングに基づいて、前記発信端末の発信タイミングから前記相手端末のページング信号の受信タイミングまでの時間を算出し、前記時間を前記発信端末に送信し、
前記発信端末は、前記時間が所定の閾値以上である場合に、前記着信タイミングが遅れると判定する、ことを特徴とする付記７に記載の無線通信システム。
【０１１０】
（付記１０）前記通知の際に、前記発信端末は、前記相手端末の着信タイミングが遅れる旨を示す音声データを再生する、ことを特徴とする付記７に記載の無線通信システム。
【０１１１】
（付記１１）前記通知の際に、前記発信端末は、前記相手端末の着信タイミングが遅れる旨を示す文字又は画像を含むデータを表示する、ことを特徴とする付記７に記載の無線通信システム。
【０１１２】
（付記１２）無線通信ネットワークを介して、相手端末を呼び出す携帯端末であって、
前記携帯端末は、前記無線通信ネットワークが記憶した前記相手端末のページング信号を間欠受信する周期を、前記無線通信ネットワークから受信し、
受信した前記相手端末の間欠受信する周期に基づいて、前記相手端末の着信タイミングを判定し、前記着信タイミングが遅れると判定した場合に、その旨を、前記携帯端末のユーザに通知する、ことを特徴とする携帯端末。
【０１１３】
（付記１３）前記相手端末の間欠受信する周期が所定の閾値以上である場合に、前記着信タイミングが遅れると判定する、ことを特徴とする付記１２に記載の携帯端末。
【０１１４】
（付記１４）前記無線通信ネットワークは、前記無線通信ネットワークが記憶した前記相手端末のページング信号の受信タイミングに基づいて、前記発信端末の発信タイミングから前記相手端末のページング信号の受信タイミングまでの時間を算出し、
前記携帯端末は、前記無線通信ネットワークから受信した前記時間が所定の閾値以上である場合に、前記着信タイミングが遅れると判定する、ことを特徴とする付記１２に記載の携帯端末。
【０１１５】
（付記１５）無線通信ネットワークを介して発信端末が相手端末を呼び出す無線通信方法であって、
前記相手端末がページング信号を間欠受信する周期を変更するステップと、
前記相手端末を含む複数の携帯端末の間欠受信する周期を記憶するステップと、
前記発信端末が前記相手端末を呼び出す際に、前記相手端末の間欠受信する周期を読み出すステップと、
前記相手端末の間欠受信周期に基づいて、前記相手端末の着信タイミングを判定する判定ステップと、
前記着信タイミングが遅れると判定した場合に、その旨を前記発信端末のユーザに通知するステップと、を含むことを特徴とする無線通信方法。
【０１１６】
（付記１６）前記判定ステップは、前記相手端末の間欠受信する周期が所定の閾値以上である場合に、前記着信タイミングが遅れると判定する、ことを特徴とする付記１５に記載の無線通信方法。
【０１１７】
（付記１７）前記相手端末を含む複数の携帯端末のページング信号の受信タイミングを記憶するステップと、
前記発信端末が前記相手端末を呼び出す際に、前記相手端末のページング信号の受信タイミングを読み出すステップと、
前記相手端末のページング信号の受信タイミングに基づいて、前記発信端末の発信タイミングから前記相手端末のページング信号の受信タイミングまでの時間を算出するステップと、を更に含み、
前記判定ステップは、前記時間が所定の閾値以上である場合に、前記着信タイミングが遅れると判定する、ことを特徴とする付記１５に記載の無線通信方法。
【０１１８】
（付記１８）更に、前記相手端末の着信タイミングが遅れる旨を示す音声データを再生するステップを含む、こと特徴とする付記１５に記載の無線通信方法。
【０１１９】
（付記１９）更に、前記相手端末の着信タイミングが遅れる旨を示す文字又は画像を含むデータを表示するステップを含む、ことを特徴とする付記１５に記載の無線通信方法。
【０１２０】
（付記２０）ネットワークを介して発信端末が相手端末を呼び出す通信方法であって、
前記相手端末を含む複数の端末の省電力モードからの復帰時間を記憶するステップと、
前記発信端末が前記相手端末を呼び出す際に、前記相手端末の省電力モードからの復帰時間を読み出すステップと、
前記相手端末の省電力モードからの復帰時間に基づいて、前記相手端末の着信タイミングを判定する判定ステップと、
前記着信タイミングが遅れると判定した場合に、その旨を前記発信端末のユーザに通知するステップと、を含むことを特徴とする通信方法。
【産業上の利用可能性】
【０１２１】
本発明は、携帯電話、及び基地局を含む無線通信システムに適用することができる。具体的には、省電力化のために相手側の携帯電話が間欠受信周期を長く設定した場合に、発信側の携帯電話に対して着信タイミングが遅れることをアナウンスや文字／画像で通知することができる。
【０１２２】
なお、本発明の全開示（請求の範囲及び図面を含む）の枠内において、さらにその基本的技術思想に基づいて、実施形態の変更・調整が可能である。また、本発明の請求の範囲の枠内において種々の開示要素（各請求項の各要素、各実施形態の各要素、各図面の各要素等を含む）の多様な組み合わせないし選択が可能である。すなわち、本発明は、請求の範囲及び図面を含む全開示、技術的思想にしたがって当業者であればなし得るであろう各種変形、修正を含むことは勿論である。
【符号の説明】
【０１２３】
１０、１１：無線通信ネットワーク（ネットワーク）
１２：移動網
１４、４４：記憶部
１６、４６：制御部
１７、３７：閾値α
１８：位置登録エリア
２０ａ〜２０ｃ：無線基地局
２２ａ〜２２ｃ、１３０、２３０：無線通信部
２４ａ〜２４ｃ、１６０、２６０：アンテナ
２６：位置情報データ
２８：間欠受信周期データ
３０、３４：アナウンスの音データ
３２：文字／画像データ
１００、１０１：発信端末（携帯端末）
１１０、２１０：端末制御部
１２０、２２０：端末記憶部
１４０、２４０：ＭＭＩ部
１４２：表示画面
１５０、２５０：スピーカー部
２００、２０１：相手端末
２１１：間欠受信周期変更部
Ｃ１：ページング信号
Ｃ２：文字データ
Ｃ３：判定情報
Ｃ４：相手端末の間欠受信周期
【図１】
2013135259.tif 000005
【図２】
2013135259.tif 000006
【図３】
2013135259.tif 000007
【図４】
2013135259.tif 000008
【図５】
2013135259.tif 000009
【図６】
2013135259.tif 000010
【図７】
2013135259.tif 000011
【図８】
2013135259.tif 000012
【図９】
2013135259.tif 000013
【図１０】
2013135259.tif 000014
【図１１】
2013135259.tif 000015
【図１２】
2013135259.tif 000016
【図１３】
2013135259.tif 000017
【図１４】
2013135259.tif 000018
【図１５】
2013135259.tif 000019